【手続補正書】
【提出日】平成26年8月13日(2014.8.13)
【手続補正１】
【補正対象書類名】特許請求の範囲
【補正対象項目名】全文
【補正方法】変更
【補正の内容】
【特許請求の範囲】
【請求項１】
印刷版を固定するシステムであって、
回転ドラムと、
前記ドラムの表面に結合されるピンの第１セットと、
前記ドラムの表面の一部にわたって回転可能に延在する部材の上に配置されるピンの第２セットであって、前記部材が、前記ドラムと回転することができるように取り付けられる、ピンの第２セットと、
前記回転ドラムの一部にわたって配置されるバーであって、非打抜き位置から、前記バーが前記ピンの第１セット上で前記印刷版の第１部分を打ち抜く第１打抜き位置まで、および前記バーが前記ピンの第２セット上で前記印刷版の第２部分を打ち抜く第２打抜き位置まで移動可能であるバーと、
を具備するシステム。
【請求項２】
回転ドラムを有する装置に印刷版を固定する方法であって、
前記ドラムの表面に結合されるピンの第１セットの上に前記印刷版の第１部分を配置するステップと、
前記ピンの第１セット上で前記印刷版の前記第１部分を打ち抜くことにより、前記ドラムに前記印刷版の前記第１部分を固定するステップと、
前記ドラムと、前記ドラムの表面の一部にわたって回転可能に延在する部材に配置されたピンの第２セットとを、前記印刷版の第２部分が前記ピンの第２部分の上に配置されるまで回転させるステップと、
前記部材を、前記ドラムの表面の周囲で円周方向に回転させ、それにより、前記ピンの第１セットと前記ピンの第２セットとの間の円周方向の距離が、前記印刷版の長さにおよそ等しくなるようにするステップと、
前記ピンの第２セット上で前記印刷版の前記第２部分を打ち抜くことにより、前記印刷版の前記第２部分を前記部材に固定するステップと、
を含む方法。
【手続補正２】
【補正対象書類名】明細書
【補正対象項目名】０１０６
【補正方法】変更
【補正の内容】
【０１０６】
好ましい実施形態または好ましい方法に関連して印刷版固定および張力付与システムについて説明したが、本明細書で用いた用語は、限定の用語ではなく説明および例示の用語であることが理解される。さらに、印刷版固定および張力付与システムを、本明細書では、特定の構造、方法および実施形態に関連して説明したが、それら実施形態は、本明細書に開示した詳細に限定されるように意図されておらず、ぞれは、本発明が、本発明の範囲内にあるすべての構造、方法および要素にまで広がるためである。本明細書の教示の利益を得る当業者は、本明細書に記載する本発明に対して多数の変更を行うことができ、本発明の範囲および趣旨から逸脱することなく変更を行ってもよい。
以下に、本発明の好ましい態様を示す。
１.  印刷版を固定するシステムであって、
回転ドラムと、
前記ドラムの表面に結合されるピンの第１セットと、
前記ドラムの表面の一部にわたって回転可能に延在する部材の上に配置されるピンの第２セットであって、前記部材が、前記ドラムと回転することができるように取り付けられる、ピンの第２セットと、
前記回転ドラムの一部にわたって配置されるバーであって、非打抜き位置から、前記バーが前記ピンの第１セット上で前記印刷版の第１部分を打ち抜く第１打抜き位置まで、および前記バーが前記ピンの第２セット上で前記印刷版の第２部分を打ち抜く第２打抜き位置まで移動可能であるバーと、
を具備するシステム。
２.  前記印刷版が前記ピンの第１セットに取り付けられた後に、前記印刷版と係合する第１レイダウンロールをさらに具備する、１.に記載のシステム。
３.  第２レイダウンロールであって、前記ピンの第１セットが前記第２レイダウンロールを通過して回転すると前記印刷版と係合する第２レイダウンロールをさらに具備する、２.に記載のシステム。
４.  テールピンバーに電子的に結合されて、前記バーをシリンダの周囲で円周方向に移動させ、それによりアームが前記第１部分を取り付ける機構から前記プレートのおよその長さに配置されるようにする、プログラム可能コントローラをさらに具備する、１.に記載のシステム。
５.  前記印刷版がフレキソ印刷プレートである、１.に記載のシステム。
６.  熱プロセッサを含む、１.に記載のシステム。
７.  前記印刷版を前記ピンの第１セットから取り除く、前記ピンの第１セットの間に配置することができるフィンガを備えた、可動ストリッパバーを具備する、１.に記載のシステム。
８.  前記印刷版が前記ピンの第１セットに取り付けられた後に、前記印刷版と係合する第１レイダウンロールをさらに具備する、７.に記載のシステム。
９.  第２レイダウンルールであって、前記ピンの第１セットが前記第２レイダウンロールを通過して回転すると前記印刷版と係合する第２レイダウンロールをさらに具備する、８.に記載のシステム。
１０.  テールピンバーに電子的に結合されて、前記バーをシリンダの周囲で円周方向に移動させ、それによりアームが前記第１部分を取り付ける機構から前記プレートのおよその長さに配置されるようにする、プログラム可能コントローラをさらに具備する、７.に記載のシステム。
１１.  前記印刷版がフレキソ印刷プレートである、７.に記載のシステム。
１２.  熱プロセッサを含む、７.に記載のシステム。
１３.  回転ドラムを有する装置に印刷版を固定する方法であって、
前記ドラムの表面に結合されるピンの第１セットの上に前記印刷版の第１部分を配置するステップと、
前記ピンの第１セット上で前記印刷版の前記第１部分を打ち抜くことにより、前記ドラムに前記印刷版の前記第１部分を固定するステップと、
前記ドラムと、前記ドラムの表面の一部にわたって回転可能に延在する部材に配置されたピンの第２セットとを、前記印刷版の第２部分が前記ピンの第２部分の上に配置されるまで回転させるステップと、
前記部材を、前記ドラムの表面の周囲で円周方向に回転させ、それにより、前記ピンの第１セットと前記ピンの第２セットとの間の円周方向の距離が、前記印刷版の長さにおよそ等しくなるようにするステップと、
前記ピンの第２セット上で前記印刷版の前記第２部分を打ち抜くことにより、前記印刷版の前記第２部分を前記部材に固定するステップと、
を含む方法。
１４.  前記印刷版の前記第１部分が前方部を含み、前記印刷版の前記第２部分が後方部を含む、１３.に記載の方法。
１５.  前記印刷版が前記ピンの第１セットに取り付けられた後に、前記印刷版に第１レイダウンロールを係合させるステップをさらに含む、１３.に記載の方法。
１６.  前記印刷版上に第２レイダウンロールを係合させ、前記ピンの第１セットが前記第２レイダウンロールを越えて回転すると、前記第１レイダウンロールを前記印刷版から後退させるステップをさらに含む、１５.に記載の方法。
１７.  前記印刷版の前記第２部分を前記ピンの第２セットに取り付けた後、前記第２レイダウンロールを後退させるステップをさらに含む、１６.に記載の方法。
１８.  前記印刷版の前記第１部分を押圧するステップが、前記印刷版上にスタンパバーを係合させることを含む、１３.に記載の方法。
１９.  前記印刷版の前記第２部分を押圧するステップが、前記印刷版上にスタンパバーを係合させることを含む、１３.に記載の方法。
２０.  前記ピンの第１セットに隣接してフィンガを有する可動ストリッパバーを配置し、前記印刷版と前記ドラムとの間に前記フィンガを挿入するステップをさらに含む、１３.に記載の方法。